(57)【要約】【課題】コストの上昇を抑えつつ、表示される映像に発生するノイズを抑えることが可能となる表示装置を提供する。【解決手段】映像を表示する表示部と、映像入力信号に対して映像処理を行い映像信号、垂直同期信号および水平同期信号を出力する映像処理部と、入力される映像信号、垂直同期信号および水平同期信号に基づき前記表示部を駆動するタイミングコントローラと、を備えた表示装置において、前記映像処理部が出力する垂直同期信号の垂直同期パルスのエッジを、前記映像入力信号の垂直同期パルスのエッジに一致するよう調整する調整部を備え、前記調整部による調整結果に基づくタイミングで、前記映像処理部が出力する映像信号、垂直同期信号および水平同期信号が前記タイミングコントローラに入力される構成とした。【選択図】図１
2011004146.tif 000002
【特許請求の範囲】
【請求項１】
映像を表示する表示部と、映像入力信号に対して映像処理を行い映像信号、垂直同期信号および水平同期信号を出力する映像処理部と、入力される映像信号、垂直同期信号および水平同期信号に基づき前記表示部を駆動するタイミングコントローラと、を備えた表示装置において、
前記映像処理部が出力する垂直同期信号の垂直同期パルスのエッジを、前記映像入力信号の垂直同期パルスのエッジに一致するよう調整する調整部を備え、
前記調整部による調整結果に基づくタイミングで、前記映像処理部が出力する映像信号、垂直同期信号および水平同期信号が前記タイミングコントローラに入力されることを特徴とする表示装置。
【請求項２】
前記調整部による調整の間、前記タイミングコントローラには映像信号、垂直同期信号および水平同期信号は入力されず、前記タイミングコントローラは、所定の映像を表示させるよう前記表示部を駆動することを特徴とする請求項１に記載の表示装置。
【請求項３】
前記調整部は、前記映像処理部が出力する垂直同期信号の周波数を変換する変換倍率を変更しながら調整を行うことを特徴とする請求項１または請求項２に記載の表示装置。
【請求項４】
前記表示装置は液晶表示装置であることを特徴とする請求項１〜請求項３のいずれかに記載の表示装置。
【発明の詳細な説明】
【技術分野】
【０００１】
本発明は、表示装置に関する。
【背景技術】
【０００２】
昨今、液晶表示装置、プラズマ表示装置、有機ＥＬ表示装置等、様々な表示装置が開発されている。
【０００３】
図７に、従来の液晶表示装置の概略構成を示す。図７に示す従来の液晶表示装置は、映像処理ＩＣ１と、Ｔ−ＣＯＮ（タイミングコントローラ）ＩＣ２と、液晶表示部３とを備える。また、映像処理ＩＣ１と、Ｔ−ＣＯＮ  ＩＣ２は、電源ライン４およびＧＮＤライン５により接続される。
【０００４】
映像処理ＩＣ１は、入力される映像入力信号をＲＧＢ形式の映像信号、垂直同期信号、水平同期信号に変換してＴ−ＣＯＮ  ＩＣ２に出力する。また、各信号はＬＶＤＳ（Low Voltage Differential Signaling）方式で出力する。ＬＶＤＳは、差動伝送方式の一つであり、伝送信号の振幅を数１００ｍＶに減らすことで、数１００Ｍビット／秒以上という高速の信号伝送を実現する（ＬＶＤＳについては例えば、特許文献１参照）。そして、Ｔ−ＣＯＮ  ＩＣ２は、入力された映像信号、垂直同期信号、水平同期信号に基づき液晶表示部３を駆動して液晶表示部３に映像を表示させる。
【先行技術文献】
【特許文献】
【０００５】
【特許文献１】特開２０００−１５２１３０号公報
【発明の概要】
【発明が解決しようとする課題】
【０００６】
ここで、上記従来の液晶表示装置における映像入力信号の波形の一例を図８（ａ）に、映像処理ＩＣ１が出力する垂直同期信号の波形の一例を図８（ｂ）に示す。このように、入力と出力の垂直同期パルスの位置がずれていると、出力の垂直同期パルスの位置で図８（ｃ）に示すように電源ライン４の電流が変動し、図８（ａ）の破線に示すようなノイズが映像入力信号の映像表示領域に発生してしまう場合があった。このような場合、例えば図９に示すように、液晶表示部３に表示される映像に横スジ状のノイズが発生していた。
【０００７】
また、電源ライン４を介してだけでなく、ＧＮＤライン５を介した影響により映像入力信号にノイズが発生する場合もあった。また、液晶表示装置の電源をオンとする毎に垂直同期パルスのずれる位置が変化し、その結果、表示映像に発生するノイズの位置も変化していた。
【０００８】
このような表示映像におけるノイズを抑えるためには、例えば、映像処理ＩＣ１およびＴ−ＣＯＮ  ＩＣ２それぞれに専用の電源を設けることにより、電源ラインを介した影響をなくす方策が考えられる。また、映像処理ＩＣ１とＴ−ＣＯＮ  ＩＣ２間の間隔を離すことで、ＧＮＤラインを介した影響を抑えることも考えられる。しかしながら、このような方策ではコストが上昇してしまうという問題がある。
【０００９】
上記問題点を鑑み、本発明は、コストの上昇を抑えつつ、表示される映像に発生するノイズを抑えることが可能となる表示装置を提供することを目的とする。
【課題を解決するための手段】
【００１０】
上記目的を達成するために本発明の表示装置は、映像を表示する表示部と、映像入力信号に対して映像処理を行い映像信号、垂直同期信号および水平同期信号を出力する映像処理部と、入力される映像信号、垂直同期信号および水平同期信号に基づき前記表示部を駆動するタイミングコントローラと、を備えた表示装置において、
前記映像処理部が出力する垂直同期信号の垂直同期パルスのエッジを、前記映像入力信号の垂直同期パルスのエッジに一致するよう調整する調整部を備え、
前記調整部による調整結果に基づくタイミングで、前記映像処理部が出力する映像信号、垂直同期信号および水平同期信号が前記タイミングコントローラに入力される構成とした。
【００１１】
このような構成によれば、タイミングコントローラに入力される垂直同期信号の垂直同期パルスの位置と、映像入力信号の垂直同期パルスの位置が一致し、垂直同期パルスの位置で電源ラインまたはＧＮＤラインを介して映像入力信号に影響が及び、映像入力信号にノイズが発生した場合でも、映像表示領域外である垂直同期領域にノイズが発生するので、表示部に表示される映像に発生するノイズを抑えることができる。そして、電源ライン、ＧＮＤラインに対する方策を必要としないので、コストの上昇を抑えることができる。
【００１２】
また、上記構成において、前記調整部による調整の間、前記タイミングコントローラには映像信号、垂直同期信号および水平同期信号は入力されず、前記タイミングコントローラは、所定の映像を表示させるよう前記表示部を駆動する構成としてもよい。
【００１３】
このような構成によれば、調整部による調整の間、所定の映像を表示させて、ユーザにとって見づらい映像を表示しないようにすることができる。
【００１４】
また、上記いずれかの構成において、前記調整部は、前記映像処理部が出力する垂直同期信号の周波数を変換する変換倍率を変更しながら調整を行う構成としてもよい。
【００１５】
また、上記いずれかの構成の表示装置は、例えば、液晶表示装置とすればよい。
【発明の効果】
【００１６】
本発明の表示装置によれば、コストの上昇を抑えつつ、表示される映像に発生するノイズを抑えることが可能となる。
【図面の簡単な説明】
【００１７】
【図１】本発明の一実施形態に係る液晶表示装置の概略構成を示す図である。
【図２】本発明の一実施形態に係る液晶表示装置における垂直同期パルス位置調整動作に関するフローチャートである。
【図３】垂直同期パルス位置調整後の各部概略波形の一例を示す図である。
【図４】垂直同期パルス位置調整後の表示映像の一例を示す図である。
【図５】本発明の別実施形態に係る液晶表示装置の概略構成を示す図である。
【図６】本発明の別実施形態に係る液晶表示装置における垂直同期パルス位置調整動作に関するフローチャートである。
【図７】従来の液晶表示装置の概略構成を示す図である。
【図８】従来の液晶表示装置の各部概略波形の一例を示す図である。
【図９】従来の液晶表示装置の表示映像の一例を示す図である。
【発明を実施するための形態】
【００１８】
以下に本発明に係る一実施形態を図面を参照して説明する。
【００１９】
図１に、本発明の一実施形態に係る液晶表示装置の概略構成を示す。図１に示すように、本発明の一実施形態に係る液晶表示装置は、映像処理ＩＣ６と、Ｔ−ＣＯＮ  ＩＣ７と、液晶表示部８とを備え、映像処理ＩＣ６とＴ−ＣＯＮ  ＩＣ７は、電源ライン９およびＧＮＤライン１０によって接続される。
【００２０】
映像処理ＩＣ６は、映像処理部６ａと、周波数変換部６ｂと、比較部６ｃと、周波数変換部６ｄとを有している。
【００２１】
映像処理部６ａは、入力される映像入力信号をＲＧＢ形式の映像信号、垂直同期信号、水平同期信号に変換し、各信号をＬＶＤＳ方式で周波数変換部６ｂに出力する。
【００２２】
周波数変換部６ｂは、ＬＶＤＳ方式で入力された映像信号、垂直同期信号、水平同期信号を元の形式の信号に戻し、各信号を高い周波数に変換し、周波数変換された各信号を比較部６ｃに出力する。
【００２３】
比較部６ｃは、周波数変換部６ｂから入力される垂直同期信号の垂直同期パルスの立下り位置と、映像入力信号の垂直同期パルスの立下り位置を比較する。また、比較部６ｃは、周波数変換部６ｂから入力された映像信号、垂直同期信号、水平同期信号を周波数変換部６ｄに出力する。
【００２４】
周波数変換部６ｄは、比較部６ｃから入力された映像信号、垂直同期信号、水平同期信号を元の低い周波数に戻し、周波数変換された各信号をＴ−ＣＯＮ  ＩＣ７に出力する。Ｔ−ＣＯＮ  ＩＣ７は、入力された映像信号、垂直同期信号、水平同期信号に基づき液晶表示部８を駆動し、液晶表示部８に映像を表示させる。
【００２５】
次に、図１に示す本発明の一実施形態に係る液晶表示装置における垂直同期パルス位置調整動作に関して、図２のフローチャートを用いて説明する。
【００２６】
液晶表示装置の電源をオンとし、映像入力信号が映像処理部６ａに入力開始されると、図２のフローチャートが開始される。
【００２７】
まず、ステップＳ２０で、Ｔ−ＣＯＮ  ＩＣ７は、黒一色の映像を表示するよう液晶表示部８の駆動を開始する（表示画面をブラックアウト）。そして、ステップＳ２１で、映像処理部６ａは、ＬＶＤＳ方式での信号出力を開始し、ステップＳ２２で、周波数変換部６ｂは、高い周波数への周波数変換を開始する。
【００２８】
そして、ステップＳ２３で、比較部６ｃは、周波数変換部６ｂから入力される垂直同期信号の垂直同期パルスの立下り位置と、映像入力信号の垂直同期パルスの立下り位置を比較し、もし一致していなければ（ステップＳ２４のＮ）、ステップＳ２５に進み、周波数変換部６ｂの周波数変換倍率を高くするよう変更する。その後、ステップＳ２３で再度、垂直同期パルスの立下り位置を比較する。
【００２９】
そして、図３（ａ）に示す映像入力信号、図３（ｂ）に示す周波数変換後の垂直同期信号（周波数変換部６ｂの出力）のように、垂直同期パルスの立下り位置が一致すれば（ステップＳ２４のＹ）、ステップＳ２６に進む。ステップＳ２６で、比較部６ｃは、映像信号、垂直同期信号、水平同期信号の周波数変換部６ｄへの出力を開始し、周波数変換部６ｄは、元の低い周波数への変換を開始する。そして、ステップＳ２７で、Ｔ−ＣＯＮ  ＩＣ７は、周波数変換部６ｄから入力される映像信号、垂直同期信号、水平同期信号に基づく液晶表示部８の駆動を開始し、表示画面のブラックアウトが解除される。
【００３０】
これにより、図３（ｃ）に示すような低い周波数に戻した後の垂直同期信号（周波数変換部６ｄの出力）の垂直同期パルスの位置と、図３（ａ）に示すような映像入力信号の垂直同期パルスの位置とが一致するので、図３（ｄ）に示すように垂直同期パルスの位置で電源ライン９の電流が変動し、映像入力信号（図３（ａ））にノイズが発生したとしても、映像表示領域外である垂直同期領域にノイズが発生するので、例えば、図４に示すように液晶表示部８に表示される映像におけるノイズ発生を抑えることができる。また、ＧＮＤライン１０を介した影響によるノイズ発生の場合も同様である。
【００３１】
次に、図５に、本発明の別実施形態に係る液晶表示装置の概略構成を示す。
【００３２】
図５に示すように、本発明の別実施形態に係る液晶表示装置は、映像処理ＩＣ１１と、Ｔ−ＣＯＮ  ＩＣ１２と、液晶表示部１３とを備え、映像処理ＩＣ１１とＴ−ＣＯＮ  ＩＣ１２は、電源ライン１４およびＧＮＤライン１５によって接続される。
【００３３】
映像処理ＩＣ１１は、映像処理部１１ａと、周波数変換部１１ｂと、比較部１１ｃと、遅延部１１ｄとを有している。
【００３４】
映像処理部１１ａは、入力される映像入力信号をＲＧＢ形式の映像信号、垂直同期信号、水平同期信号に変換し、各信号をＬＶＤＳ方式で遅延部１１ｄに出力したり、垂直同期信号のみをＬＶＤＳ方式で周波数変換部１１ｂに出力したりする。
【００３５】
周波数変換部１１ｂは、ＬＶＤＳ方式で入力された垂直同期信号を元の形式の信号に戻し、垂直同期信号を高い周波数に変換し、周波数変換された垂直同期信号を比較部１１ｃに出力する。
【００３６】
比較部１１ｃは、周波数変換部１１ｂから入力される垂直同期信号の垂直同期パルスの立下り位置と、映像入力信号の垂直同期パルスの立下り位置を比較する。
【００３７】
遅延部１１ｄは、映像処理部１１ａから入力されたＬＶＤＳ方式の映像信号、垂直同期信号、水平同期信号を元の形式の信号に戻し、各信号を所定の遅延時間で遅延させてＴ−ＣＯＮ  ＩＣ１２に出力する。Ｔ−ＣＯＮ  ＩＣ１２は、入力された映像信号、垂直同期信号、水平同期信号に基づき液晶表示部１３を駆動し、液晶表示部１３に映像を表示させる。
【００３８】
次に、図５に示す本発明の別実施形態に係る液晶表示装置における垂直同期パルス位置調整動作に関して、図６のフローチャートを用いて説明する。
【００３９】
液晶表示装置の電源をオンとし、映像入力信号が映像処理部１１ａに入力開始されると、図６のフローチャートが開始される。
【００４０】
まず、ステップＳ６０で、Ｔ−ＣＯＮ  ＩＣ１２は、黒一色の映像を表示するよう液晶表示部１３の駆動を開始する（表示画面をブラックアウト）。そして、ステップＳ６１で、映像処理部１１ａは、ＬＶＤＳ方式での垂直同期信号の周波数変換部１１ｂへの出力を開始し、ステップＳ６２で、周波数変換部１１ｂは、高い周波数への周波数変換を開始する。
【００４１】
そして、ステップＳ６３で、比較部１１ｃは、周波数変換部１１ｂから入力される垂直同期信号の垂直同期パルスの立下り位置と、映像入力信号の垂直同期パルスの立下り位置を比較し、もし一致していなければ（ステップＳ６４のＮ）、ステップＳ６５に進み、周波数変換部１１ｂの周波数変換倍率を高くするよう変更する。その後、ステップＳ６３で再度、垂直同期パルスの立下り位置を比較する。
【００４２】
そして、垂直同期パルスの立下り位置が一致すれば（ステップＳ６４のＹ）、ステップＳ６６に進む。ステップＳ６６で、映像処理部１１ａは、映像信号、垂直同期信号、水平同期信号の遅延部１１ｄへのＬＶＤＳ方式での出力を開始し、遅延部１１ｄは、入力されたＬＶＤＳ方式の各信号を元の形式の信号に戻して、各信号を所定の遅延時間で遅延させてＴ−ＣＯＮ  ＩＣ１２に出力することを開始する。ここで、所定の遅延時間とは、垂直同期パルスの立下り位置が一致したときの周波数変換倍率に応じた遅延時間である。
【００４３】
そして、ステップＳ６７で、Ｔ−ＣＯＮ  ＩＣ１２は、遅延部１１ｄから入力される映像信号、垂直同期信号、水平同期信号に基づく液晶表示部８の駆動を開始し、表示画面のブラックアウトが解除される。
【００４４】
これにより、遅延部１１ｄが出力する垂直同期信号の垂直同期パルスの位置と、映像入力信号の垂直同期パルスの位置とが一致するので、垂直同期パルスの位置で電源ライン１４の電流が変動し、映像入力信号にノイズが発生したとしても、映像表示領域外である垂直同期領域にノイズが発生するので、液晶表示部１３に表示される映像におけるノイズ発生を抑えることができる。また、ＧＮＤライン１５を介した影響によるノイズ発生の場合も同様である。
【００４５】
以上、本発明の実施形態について説明したが、本発明の趣旨の範囲内であれば、実施形態は種々変更可能である。例えば、本発明は、液晶表示装置に限らず、プラズマ表示装置、有機ＥＬ表示装置等、様々な表示装置に適用可能である。
【符号の説明】
【００４６】
１  映像処理ＩＣ
２  Ｔ−ＣＯＮ（タイミングコントローラ）ＩＣ
３  液晶表示部
４  電源ライン
５  ＧＮＤライン
６  映像処理ＩＣ
６ａ  映像処理部
６ｂ  周波数変換部
６ｃ  比較部
６ｄ  周波数変換部
７  Ｔ−ＣＯＮ  ＩＣ
８  液晶表示部
９  電源ライン
１０  ＧＮＤライン
１１  映像処理ＩＣ
１１ａ  映像処理部
１１ｂ  周波数変換部
１１ｃ  比較部
１１ｄ  遅延部
１２  Ｔ−ＣＯＮ  ＩＣ
１３  液晶表示部
１４  電源ライン
１５  ＧＮＤライン
【図１】
2011004146.tif 000003
【図２】
2011004146.tif 000004
【図３】
2011004146.tif 000005
【図４】
2011004146.tif 000006
【図５】
2011004146.tif 000007
【図６】
2011004146.tif 000008
【図７】
2011004146.tif 000009
【図８】
2011004146.tif 000010
【図９】
2011004146.tif 000011